(57)【特許請求の範囲】
【請求項１】
ファンを駆動するＡＣモータの位相制御手段を有し、前記位相制御に必要な商用周波数の特定手段は、電源の周波数をパルス信号に置き換えるパルス化手段と、パルス化手段が発するパルス信号を受けて商用周波数の種類を判定する判定手段を備え、且つ特定の状況下にある時には前記判定手段に入力されるパルス信号が他の特定のものとなる給湯器または風呂の制御装置において、前記判定手段は、パルス信号が特定の商用周波数に対応するものであるか否かの判定に加え、他の特定のものであるかについても判定可能であり、さらに、前記判定手段は、パルス信号が特定の商用周波数に対応するものでも、他の特定のものでもないことを判定可能であることを特徴とする給湯器または風呂の制御装置。
【請求項２】
ＡＣモータの位相制御に先立って商用周波数の特定手段を動作させ、パルス信号が特定の商用周波数に対応するものであるか否かの判定と、他の特定のものであるかの判定と、特定の商用周波数に対応するものでも他の特定のものでもないことの判定を行い、その判定結果が特定の商用周波数に対応するものである場合にはＡＣモータの位相制御を開始し、その判定結果が他の特定のものであった場合にはその判定結果を表示することを特徴とする請求項１記載の給湯器または風呂の制御装置。
【請求項３】
ファンを駆動するＡＣモータの位相制御手段を有し、ＡＣモータの制御運転に先立って商用周波数を特定する特定手段を動作させ、該特定手段は、電源の周波数をパルス信号に置き換えるパルス化手段と、パルス化手段が発するパルス信号を受けて、商用周波数の種類を判定する判定手段を備え、且つ特定の状況下にある時には前記判定手段に入力されるパルス信号が他の特定のものとなる給湯器または風呂の制御装置において、前記判定手段は、パルス信号が特定の商用周波数に対応するものであるか否かの判定に加えて、他の特定のものであるかの判定と、特定の商用周波数に対応するものでも他の特定のものでもないことについても判定可能であり、この判定結果が他の特定のものであった場合にその事実を記憶する記憶手段と、パルス信号が他の特定のものであるか否かを再度判定する確認判定手段を有し、判定手段の判定結果が特定の商用周波数に対応するものである場合にはＡＣモータの位相制御を開始し、この位相制御と並行して、および／又は位相制御開始前の制御段階において、確認判定手段によってパルス信号が他の特定のものであるか否かを繰り返し判定し、前記確認判定手段の判定の結果パルス信号が他の特定のものではない場合には、前記記憶手段の内容が他の特定のものであったか否かを判断し、前記記憶手段の内容が他の特定のものであった場合には商用周波数の種類を判定する判定手段を再度動作させることを特徴とする給湯器または風呂の制御装置。
【請求項４】
判定手段の判定結果を記憶する手段とこの判定結果を表示する表示手段を有する請求項１乃至３のいずれかに記載の給湯器または風呂の制御装置。
【請求項５】
ファンを駆動するＡＣモータの位相制御手段を有し、前記位相制御に必要な商用周波数の特定手段が、電源の周波数をパルス信号に置き換えるパルス化手段と、パルス化手段が発するパルス信号を受けて、商用周波数の種類を判定する判定手段を備える給湯器または風呂の制御装置において、前記判定手段に入力されるパルス信号が商用周波数以外の場合であることを判断する異常検出手段と、異常検出を表示する表示手段を有することを特徴とする給湯器または風呂の制御装置。
【発明の詳細な説明】
【０００１】
【発明の属する技術分野】
本発明は、給湯器または風呂の制御装置に関するものであり、特にファンをＡＣモータで駆動するとともに、このＡＣモータを位相制御する給湯器または風呂の制御装置に関するものである。
【０００２】
【従来の技術】
近年、一般家庭にも比較的大型の給湯器が設置され、一台の給湯器をもって風呂、台所、洗面台といった家中の給湯栓へ配湯する給湯システムが普及しつつある。
このような一台の給湯器で多数の給湯栓を賄う場合の給湯器では、給湯要求に応じて加熱能力を切り換える必要から、複数のバーナを並列に配し、その時々によって燃焼させるバーナの個数を変更する。そのため燃焼に要する給気量は燃焼条件によって著しく異なる。
【０００３】
そこでこの種の給湯器では、給気ファンのＡＣモータを位相制御し、燃焼条件に応じた給気を行う構成が採用されている。
【０００４】
ここでＡＣモータを位相制御する場合、その基礎として制御すべき交流電源の周波数が６０ＨZ であるのか、５０ＨZ であるのかを特定する必要がある。そこで給湯器に使用される制御装置では、交流電源の電位が正から負へ、または負から正へ変化する毎にパルスを発生させ（ゼロクロスパルスと称される）単位時間あたりのパルス数をマイクロコンピュータ等でカウントすることによって周波数の特定を行っている。
すなわち、一分間のパルス数が１２０を中心とする一定の範囲である場合には、電源の周波数は６０ＨZ と判定され、１００を中心とする一定の範囲である場合には、電源の周波数は５０ＨZ と判定される。
【０００５】
またこの種の給湯器の従来技術の制御の流れは、図７のフローチャートの通りである。すなわち従来技術の制御装置では、電源が投入されると、直ちに周波数の特定動作が行われる。具体的には、ステップ１で一分間の入力パルスが１００を中心とする一定の範囲であるか否かが判断される。ステップ１でパルスが１００であれば、電源周波数は５０ＨZ であるから、ステップ２に移行して５０ＨZ の記録メモリーがＯＮされる。
逆にステップ１でパルスが１００でないと判断された場合は、ステップ３に移行し、パルスが１２０であるか否かが判断される。ここでパルスが１２０であるならば、電源周波数は６０ＨZ であるから、ステップ４に移行して６０ＨZ の記録メモリーがＯＮされる。
【０００６】
そしてステップ１又はステップ３のいずれかでＹＥＳと判断され、ステップ２またはステップ４で周波数に対応したメモリーがＯＮされた場合には、ステップ５に移行し、リモコンの動作が開始される。
後はステップ６に移行し、図示しない終了信号が入るまで給湯制御が行われ、ＡＣモータが位相制御されて適切な回転数でファンが回転する。
【０００７】
従来技術の給湯器または風呂の制御装置では、もしステップ１でパルスが１００でないと判断され、さらにステップ３でもパルスが１２０ではないと判断された場合には、再度ステップ１に戻り、先の判断を繰り返す。
【０００８】
【発明が解決しようとする課題】
従来技術の給湯器または風呂の制御装置では、前記したように、パルスが１００でも、１２０でもないと判断された場合には、再度ステップ１に戻り、何度もこのサイクルを繰り返し、リモコン動作には至らない。したがって、ファンは停止したままの状態となる。
一方、本来６０ＨZ であるにも拘わらず５０ＨZ と判断されてしまう場合もある。このような誤判定が起こった場合は、ＡＣモータの制御信号と、ＡＣモータの回転検知数が大幅に異なり、回転異常となって結果的にファンは停止する。
【０００９】
これらの故障の原因は、ノイズ等によってパルスに異常をきたした場合、ゼロクロスパルスの発生手段に異常が有る場合、各ステップの設定等に問題がある場合、あるいは後記する様な安全装置が作動した場合という様に様々な要因が考えられるが、いずれにしても復帰のための何らかの対策が必要となり、ステップ１，３で周波数の判定ができなかった場合と、誤判定が起こった場合では対策が異なる。
しかしながら、従来技術の給湯器または風呂の制御装置では、前者の場合であるのか、後者の場合であるのかを知ることは困難であり、復帰に時間がかかるという問題があった。
【００１０】
また特に従来技術の給湯器または風呂の制御装置では、ファンは停止したままの状態となった原因がノイズ等によってパルスに異常をきたした場合と、安全装置が作動した場合との見分けがつきにくく、作業に手間取るという問題があった。この理由は、次の通りである。
すなわち給湯器や風呂では各種の安全装置を設ける必要があり、制御装置内でもそれらの作動状況を監視したり適当な表示を行う必要がある。そのため安全装置の作動を検出する為にパルスを作り、このパルスによって安全装置の作動確認や表示を行っている。
【００１１】
ここで安全装置の作動を検出する為のパルス信号を発生させたり、出力する回路は、機器の簡略化のために、前記した周波数判定のためのパルス発生回路等と部分的に共通の回路が使用される。
そして安全装置が作動する等の何らかの異常が発生した場合は、その影響で周波数判定手段にパルスが送られてこないこととなる。したがってこの場合もステップ１，３ではパルスが１００でも、１２０でもないと判断され、結果的にファンは停止したままの状態となる。
ところが従来技術の給湯器または風呂の制御装置では、電源投入の最初から既に安全装置が作動していた様な場合には、リモコン動作にも至らない状態で制御が停止し、結果的にノイズ等によってパルスに異常をきたした場合と、安全装置が動作した場合とは同一の状態で停止してしまう。そのためファンが停止した場合の原因究明に時間がかかるという問題が指摘されていた。
【００１２】
そこで本発明は、従来技術の上記した問題点に着目し、ファンが停止した場合の原因究明が容易な給湯器または風呂の制御装置の提供を課題とするものである。
【００１３】
【課題を解決するための手段】
そして上記した目的を達成するための請求項１記載の発明は、ファンを駆動するＡＣモータの位相制御手段を有し、前記位相制御に必要な商用周波数の特定手段は、電源の周波数をパルス信号に置き換えるパルス化手段と、パルス化手段が発するパルス信号を受けて商用周波数の種類を判定する判定手段を備え、且つ特定の状況下にある時には前記判定手段に入力されるパルス信号が他の特定のものとなる給湯器または風呂の制御装置において、前記判定手段は、パルス信号が特定の商用周波数に対応するものであるか否かの判定に加え、他の特定のものであるかについても判定可能であり、さらに、前記判定手段は、パルス信号が特定の商用周波数に対応するものでも、他の特定のものでもないことを判定可能であることを特徴とする給湯器または風呂の制御装置である。
【００１４】
本発明は、安全装置の作動を検出する為のパルス信号の回路と、周波数判定のためのパルス信号の回路が共通である場合に、安全装置が作動した際に例えばパルス信号がゼロといった特定のものとなることに着目したものである。
本発明の給湯器または風呂の制御装置では、パルス信号が特定の商用周波数に対応するものであるか否かの判定に加え、パルスゼロといった他の特定のものであるかについても判定可能である。そのためこの判定に基づいて、故障の原因が安全装置にあるのか、他の部位にあるのかを区別することができる。
【００１５】
本発明の給湯器または風呂の制御装置において、パルス信号が特定の商用周波数に対応するものでも、特定のものでもないことが判断された場合、安全装置の作動が原因である可能性は低く、代わってノイズによるパルスの異常や、パルス発生回路の異常が疑われる。
【００１６】
また前記した請求項１記載の発明をさらに発展させた請求項２記載の発明は、ＡＣモータの位相制御に先立って商用周波数の特定手段を動作させ、パルス信号が特定の商用周波数に対応するものであるか否かの判定と、他の特定のものであるかの判定と、特定の商用周波数に対応するものでも他の特定のものでもないことの判定を行い、その判定結果が特定の商用周波数に対応するものである場合にはＡＣモータの位相制御を開始し、その判定結果が他の特定のものであった場合にはその判定結果を表示することを特徴とする請求項１記載の給湯器または風呂の制御装置である。
【００１７】
本発明の給湯器または風呂の制御装置では、ＡＣモータの位相制御に先立って商用周波数の特定手段を動作させ、判定結果によって特定の商用周波数に対応するものであることが確認された場合に、ＡＣモータの位相制御を開始する。
そして判定結果が他の特定のものであった場合には、安全装置の異常が疑われるので、その判定結果を表示する。
なお判定結果が特定の商用周波数に対応するものでも他の特定のものでもない場合は、ＡＣモータの位相制御を開始するかどうかは任意であるが、位相制御は中止することが望ましい。
【００１８】
また同様の課題を解決するための請求項３記載の発明は、ファンを駆動するＡＣモータの位相制御手段を有し、ＡＣモータの制御運転に先立って商用周波数を特定する特定手段を動作させ、該特定手段は、電源の周波数をパルス信号に置き換えるパルス化手段と、パルス化手段が発するパルス信号を受けて、商用周波数の種類を判定する判定手段を備え、且つ特定の状況下にある時には前記判定手段に入力されるパルス信号が他の特定のものとなる給湯器または風呂の制御装置において、前記判定手段は、パルス信号が特定の商用周波数に対応するものであるか否かの判定に加えて、他の特定のものであるかの判定と、特定の商用周波数に対応するものでも他の特定のものでもないことについても判定可能であり、この判定結果が他の特定のものであった場合にその事実を記憶する記憶手段と、パルス信号が他の特定のものであるか否かを再度判定する確認判定手段を有し、判定手段の判定結果が特定の商用周波数に対応するものである場合にはＡＣモータの位相制御を開始し、この位相制御と並行して、および／又は位相制御開始前の制御段階において、確認判定手段によってパルス信号が他の特定のものであるか否かを繰り返し判定し、前記確認判定手段の判定の結果パルス信号が他の特定のものではない場合には、前記記憶手段の内容が他の特定のものであったか否かを判断し、前記記憶手段の内容が他の特定のものであった場合には商用周波数の種類を判定する判定手段を再度動作させることを特徴とする給湯器または風呂の制御装置である。
【００１９】
本発明の給湯器または風呂の制御装置は、故障を復帰した後の装置の立ち上がりを円滑に行うことを考慮したものである。
すなわち前述の発明のように、安全装置が作動してパルスゼロ等となり、これを判定手段が検知して制御を停止した場合、制御フローの中途で動作が停止することとなる。
そしてこの状態で安全装置を復帰すると、実質上故障は無くなるものの、先の工程で商業電力の周波数を検知していないので、正確な位相制御を行うことができない。そのため故障原因が排除されたにも拘わらず、ファンを回転させることができない事態となる場合がある。
【００２０】
本発明は、この事態に対応するものであり、ＡＣモータの制御運転に先立つ商用周波数特定の段階で、パルスがパルスゼロ等の他の特定のものであった場合には、一旦記憶手段に記憶しておく。
そして後段の位相制御、又は位相制御開始前の制御状態において、これと並行して確認判定手段によってパルス信号が他の特定のものであるか否かを再度判定する。ここでは、安全装置が作動していない様な場合は、記憶手段の内容が他の特定のものであったか否かを判断する。ここでもし一旦安全装置が作動していて、これを制御の途中で復帰したものである場合には、パルスゼロ等の情報が記憶手段に記録されている。またこの場合は、前記したように、前段の商業電力の周波数を検知していない状態である。そこで本発明では、確認判定手段の結果パルス信号が他の特定のものではない場合には、前記記憶手段の内容が他の特定のものであるという条件が揃えば、商用周波数の種類を判定する判定手段を再度動作させ、正確な位相制御が行えるよう工夫されている。
【００２１】
また上記した発明をさらに改良した請求項４記載の発明は、判定手段の判定結果を記憶する手段とこの判定結果を表示する表示手段を有する請求項１乃至３のいずれかに記載の給湯器または風呂の制御装置である。
【００２２】
本発明の給湯器または風呂の制御装置では、判定手段の判定結果を記憶する手段とこの判定結果を表示する表示手段をもつので、ファンが停止した場合にその原因追求が容易である。
【００２３】
また同様の目的を達成するための請求項５記載の発明は、ファンを駆動するＡＣモータの位相制御手段を有し、前記位相制御に必要な商用周波数の特定手段が、電源の周波数をパルス信号に置き換えるパルス化手段と、パルス化手段が発するパルス信号を受けて、商用周波数の種類を判定する判定手段を備える給湯器または風呂の制御装置において、前記判定手段に入力されるパルス信号が商用周波数以外の場合であることを判断する異常検出手段と、異常検出を表示する表示手段を有することを特徴とする給湯器または風呂の制御装置である。
【００２４】
本発明の給湯器または風呂の制御装置では、判定手段に入力されるパルス信号が商用周波数以外の場合であることを判断する異常検出手段と、さらに異常検出を表示する表示手段を有する。そのため、本発明の給湯器または風呂の制御装置では、ファンが停止した原因がパルスに関連するものである場合に、これを容易に知ることができる。
【００２５】
【発明の実施の形態】
以下さらに本発明の実施の形態について説明する。
図１は、本発明の給湯器または風呂の制御装置のブロック図である。図２は、本発明の第一の実施形態の制御を示すフローチャートである。図３は、本発明の第二の実施形態の制御を示すフローチャートである。図４は、本発明の第三の実施形態の制御を示すフローチャートである。図５は、本発明の第四の実施形態の制御を示すフローチャートである。図６は、本発明の第五の実施形態の制御を示すフローチャートである。
【００２６】
以下に説明する第一から第五の実施形態では、制御装置のブロックはいずれも同一であり、図１の様である。
制御装置１は、マイクロコンピュータ２を中心として、これに各入出力装置が接続されたものである。
マイクロコンピータ２は、公知のとおり、ＣＰＵ，ＲＡＭ，ＲＯＭ等を内蔵するものであり、後記するソフトウェアに従って所定の動作を行う。
図１には入出力機器は、本発明に関連するものだけが記載されている。すなわち、マイクロコンピュータ２には、パルス発生装置（パルス化手段）３、コントロールリモコン４、位相制御装置５が接続されている。
【００２７】
パルス発生装置３は、従来技術のそれと同様に、ゼロクロスパルスを発生させるものであり、電源８から周波数信号を受けている。またパルス発生装置３には、安全装置９からの信号も入力されている。そして安全装置９の動作等を示す信号は、前記したゼロクロスパルスと同一のタイミングでマイクロコンピュータ２に入力される。
また安全装置９が作動した場合には、パルス発生装置３からのマイクロコンピュータ２へのパルス信号は停止する。なお安全装置９には、例えば熱交換器のハイリミットスイッチ等がある。
【００２８】
コントロールリモコン４は、湯温の設定等を行うものである。本実施形態では、コントロールリモコン４内に表示装置（表示手段）１０が内蔵されている。
【００２９】
位相制御装置５は、電源の位相を変換するものである。位相制御装置５にはＡＣモータ７が接続されている。
【００３０】
つぎに、第一の実施形態の給湯器または風呂の制御装置のソフトウェア、すなわち装置の動作内容について図２を参照しつつ説明する。
【００３１】
図２に示すフローチャートは、電源投入から基礎制御に至るまでの工程を示すものである。なおここでいう「基礎制御」とは、コントロールリモコン４の表示等の制御が行われている状態をいう。この「基礎制御」の状態では、ＡＣモータ７の位相制御が行われている場合と、ＡＣモータ７の位相制御が行われていない場合がある。
本制御装置１に電源を投入すると、電源８からパルス発生装置３に周波数信号が送られ、また安全装置９から所定の信号が入力される。
【００３２】
またパルス発生装置３から電源周波数に対応したゼロクロスパルスがマイクロコンピュータ２へ入力される。
そしてステップ１で、一分間の入力パルスが１００を中心とする一定の範囲であるか否かが判断される。ステップ１でパルスが１００を中心とする一定の範囲であれば、電源周波数は５０ＨZ であるから、ステップ２に移行して５０ＨZ の記録メモリーがＯＮされる。
【００３３】
逆にステップ１でパルスが１００でないと判断された場合は、ステップ３に移行し、パルスが１２０を中心とする一定範囲であるか否かが判断される。ここでパルスが１２０を中心とする一定範囲であるならば、電源周波数は６０ＨZ であるから、ステップ４に移行して６０ＨZ の記録メモリーがＯＮされる。
前記したようにステップ１、ステップ３と進み、ステップ３でもＮＯであった場合、すなわちパルスが１００でも１２０でもない場合は、ステップ５に進み、パルスがゼロであるか否かが判断される。もしパルスゼロであった場合は、安全装置が作動した疑いが強いので、ステップ６に移行し、安全装置作動メモリーをＯＮする。
またステップ５でパルスゼロでもない場合は、その他の故障が疑われるので、ステップ７に進み他のメモリー（判定不良）をＯＮする。
【００３４】
なお、本実施形態では、上記したステップ１，３，５が請求項記載の判定手段として機能し、ステップ２，４，６，７が記憶手段として機能している。
各ステップ２，４，６，７の後は、ステップ８に進み、コントロールリモコン４が操作できる状態となる。
以上のステップで、電源周波数が５０ＨZ あるいは６０ＨZ と特定され、且つ基礎制御に至るまでの間に安全装置が作動しなかった場合、すなわち何らの異常もなく、装置が起動する場合は、ステップ９，１０，１１，１２を経てステップ１４の基礎制御に至る。このルートを通ってステップ１４の基礎制御に至った場合には、基礎となる周波数の特定はできているので、コントロールリモコン４の表示制御等の他、ＡＣモータ７の位相制御運転や、燃焼運転が行われる。
すなわちステップ８からステップ９に移行し、ステップ９で先の判定不良のメモリーがＯＮであるか否かを確認する。
ステップ９で判定不良のメモリーがＯＦＦであるならば、ステップ１０に進み、再度ゼロクロスパルスがゼロであるか否かを判定する（確認判定手段）。ステップ１０では、ステップ６のメモリーを確認するのではなく、あくまでもステップ５と同様の動作を繰り返す。
【００３５】
そしてステップ１０でパルスがゼロでないことが確認されると、ステップ１１に移行し、安全装置作動メモリーがＯＮされているか否かを確認する。なおステップ１１で安全装置作動メモリーがＯＮであった場合は、ステップ１に戻るが、ステップ１０で再度パルスゼロを確認しているので、このルートでステップ１に戻るのは、電源投入時に安全装置が作動していて、かつ後で安全装置が解除された場合に限られる。
【００３６】
ステップ１１で安全装置作動メモリーがＯＮされていないと判断されれば、ステップ１２に移行し、判定表示の要求の有無を確認する。表示要求があった場合には、ステップ１３に移行して必要な表示を行う。判定表示の要求は、コントロールリモコン４によって行われ、またこの表示は、コントロールリモコン４の表示装置１０に表示される。
判定要求があった場合はステップ１３を経由してステップ１４に移行し、判定要求が無かった場合にはステップ１２から直接ステップ１４に移行する。そしてステップ１４では、基礎制御が行われる。
またステップ１４からステップ９に戻り、基礎制御およびＡＣモータの位相制御等と並行して前述したステップ９からステップ１３までの制御を繰り返し行う。
【００３７】
また逆に、何らかの異常が起こった場合は、次の制御流れでステップ１４の基礎制御に至る。
【００３８】
すなわちステップ８からステップ９に移行し、ステップ９で先の判定不良のメモリーがＯＮであるならば、基礎となる周波数の特定ができていないのであるから、ステップ１５に進み、ＡＣモータ７の運転や、燃焼運転を停止する信号を発する。そしてステップ１５からステップ１２に入り、判定表示要求があった場合には、ステップ１３を経由して、また表示要求が無い場合にはステップ１２から直接的に、ステップ１４の基礎制御に移行する。
ステップ１５を経由してステップ１４の基礎制御に移行した場合には、ＡＣモータの運転や、燃焼運転を停止する信号が出されるので、ステップ１４では、基礎制御だけが行われ、ＡＣモータ７の運転や、燃焼運転は停止されたままの状態となる。そしてステップ１４からステップ９に戻り、基礎制御と並行してステップ９以下の制御が繰り返される。すなわち位相制御開始前の制御段階において、ステップ９以下の制御が繰り返される。
【００３９】
パルスが入力されない状況の時は次の通りである。
すなわちステップ８からステップ９を経由してステップ１０に至り、ここでＹＥＳと判定された場合は、安全装置の作動が疑われるので、ステップ１６で安全装置が作動した旨の表示と、異常発生の表示をコントロールリモコン４に表示させる。
【００４０】
次にステップ１７に進み、この安全装置の作動が、電源投入時からそうであったのか、あるいは電源投入後にそうなったのかを判断する。
すなわちステップ１７で、ステップ６で設定した（されなかった場合もある）安全装置作動メモリーを確認する。
ここで安全装置作動メモリーがＯＮされていた場合には、基礎となる周波数の特定ができていないのであるから、ステップ１５に進み、ＡＣモータの位相制御運転を停止し、ステップ１２を経てステップ１４の基礎制御に移行する。
【００４１】
またステップ１７で安全装置作動メモリーがＯＦＦであることが判れば、制御は、ステップ１→２→８あるいは、ステップ１→３→４→８を通ってきたものであると考えられ、基礎となる周波数の特定はできているので、そのままステップ１４に移行し（ステップ１２は経由する）、基礎制御とＡＣモータ７の位相制御がなされる。
なお、この制御流れとなる場合、すなわちステップ１０でパルスゼロが検知され、またステップ１７で安全装置作動メモリーがＯＦＦであった場合とは、電源投入時には安全装置は作動しておらず、運転中に何らかの原因で安全装置が作動したケースである。したがって安全装置の性質によっては、もちろんバーナの消火や、ＡＣモータ７の停止等を行う必要が生じる場合もあるが、安全装置作動に対する個々の処置は、他の制御で行われており、図２のフローチャートからは除外している。
【００４２】
そしてステップ１４からステップ９に戻り、基礎制御等と並行してステップ９からステップ１３までの制御を繰り返し行う。
【００４３】
また故障等の場合には、コントロールリモコン４を操作して、判定表示要求を行う。判定表示要求があった場合には、ステップ１２からステップ１３に移行し、表示装置１０に、ステップ２，４，６，７のいずれかで設定したメモリーの内容を表示させる。具体的には、表示装置１０には、「５０ＨZ 」「６０ＨZ 」「安全装置作動」「判定不良」といった文字、あるいは「Ｅ１」といったコードが表示されることとなる。
したがって作業者は、この表示に従って故障原因を究明し、所定の処置を行うことができる。
【００４４】
また故障の原因が安全装置にあり、そして適当な処置の結果安全装置の作動が解除した場合は、ステップ１１からステップ１に戻り、再度周波数の特定が行われる。
電源投入時から安全装置が作動しており、且つ途中で安全装置が復帰した場合の制御流れは次の通りである。
すなわち、電源投入時から安全装置が作動している場合には、ステップ１，３を経由してステップ５に至り、ステップ６で安全装置作動メモリーがＯＮされる。そしてステップ８、ステップ９を経由してステップ１０に至り、ステップ１０でパルスゼロが検出され、ステップ１６で安全装置作動表示および異常表示がなされる。次にステップ１７で安全装置作動メモリーのＯＮが確認され、ステップ１５を経由してステップ１４の基礎制御に移行する。従ってＡＣモータは停止したままの状態となり、リモコンの表示等の制御とステップ９，１０，１６，１７，１５，１２，１４が繰り返し行われることとなる。
【００４５】
そしてこの状態から、適当な処置の結果、安全装置の作動が解除された場合は、マイクロコンピュータ２にパルスが入力されるので、ステップ１０では、ＮＯと判断され、ステップ１１に移行する。そしてステップ１１で、安全装置作動メモリーが確認される。
ここで本説明は、電源投入時から安全装置が作動しており、且つ途中で安全装置が復帰した場合の制御流れであるから、安全装置作動メモリーがＯＮされている。従ってステップ１１ではＮＯと判断され、ステップ１に戻って再度周波数の判定が行われる。このようにステップ１に戻す理由は、電源投入時から安全装置が作動している条件下では、位相制御の基礎となる周波数が特定されていないので、安全装置を復帰してステップ１４へ移行させても、ＡＣモータの位相制御を行うことができないためである。
従って給湯器または風呂の制御装置では、図２のステップ１０，１１のような制御ステップを設けることが望ましい。
【００４６】
位相制御の基礎となる周波数が特定されないケースとしては、上記したようなパルスゼロの場合の他、判定不良の場合もあり、この場合においても、電源投入時から判定不良の条件下では、位相制御の基礎となる周波数が特定されていないので、途中から判定可能な状態となって、ステップ１４へ移行させても、ＡＣモータの位相制御を行うことができない。
【００４７】
この場合の対策は、図２には盛り込まれていないが、例えば図３，図４の様な制御フローを採用することにより、解決することができる。図３，図４の制御フローは、いずれも前記した図２の制御フローを基本に改良したものであり、説明を簡単にするために、図２の制御フローと同様の動作を行うステップに同一の番号を付している。
図３の制御フローが図２のそれと異なる箇所は、図３の制御では、ステップ９の判定不良メモリー確認がＹＥＳであった場合に、ステップ１に戻る様に構成されている点である。すなわち図３の制御フローでは、ステップ１，３で、パルスが１００でも１２０でも無く、さらにステップ５でパルスゼロでもないと判断されて判定不良メモリーがＯＮとなった場合、ステップ９からステップ１に戻り、再度パルスの特定を繰り返す。
したがって電源投入時に、ノイズ等の原因で周波数の特定が行われなくても、後でそのノイズが消失した様な場合には、繰り返し行われるステップで周波数の特定が行われ、制御装置は自動的に復帰する。
【００４８】
また図４のフローは、より詳細な表示を可能とするものである。図４の制御フローが図２のそれと異なる箇所は、図４の制御では、ステップ１４の基礎制御と、ステップ９の繰り返し部分に、ステップ１８を設け、ステップ１８で判定不良メモリーを再度確認することとした点である。そして図４の制御では、ステップ１８で判定不良メモリーがＯＮでなかった場合には、図２のフローと同様にステップ９に戻るが、ステップ１８で判定不良メモリーがＯＮであった場合にはステップ１に戻る。
【００４９】
そしてステップ１から、再度パルスの特定を繰り返す。
すなわち図４の制御フローでは判定不良メモリーがＯＮであった場合、ステップ１からステップ１８までの工程を繰り返し、基礎制御を行うと共にステップ１２の判定表示要求の有無を監視する。そのため図４の制御フローでは、途中で判定表示要求があった場合には、ステップ１２からステップ１３の判定結果表示に移行し、表示装置１０にメモリーの内容を表示させることができる。
【００５０】
以上、図２，３，４で再度周波数特定を行う制御フローを紹介したが、例えば図２のステップ１０，１１や、図４のステップ１８の様な再度周波数特定を行う工程は、必須のものではなく、これを省略することも可能である。ステップ１１等を省略した場合は、途中で安全装置が復帰した場合に、基礎制御だけが行われることとなる。しかしながら、例えば、修理の際や、修理の後で電源をＯＦＦにするといったリセット行為を行えば、必然的にステップ１に戻ることとなるので、給湯器等の起動は可能である。
【００５１】
図５のフローチャートは、このような観点から構成されたものであり、ステップ１１，１７の工程が無いことを除いて、図２の制御フローと同一である。図５のフローチャートの説明は、図２のフローチャートと同一の動作を行うステップに同一の数字を付すことにより、詳細説明を省略する。
【００５２】
なお、ステップ６の安全装置作動メモリーを省略しているのは、ステップ１０で再度判定し、ステップ１６で異常表示も自動的に行っていることによる。すなわち、安全装置作動メモリーが無く、ステップ１３の表示経由とならなくとも、ステップ１６で表示されるからである。
【００５３】
つぎに、本発明の第五の実施形態について、図６のフローチャートを参照しつつ説明する。
第五の実施形態は、前述した二つの実施形態をより簡略化したものであり、前述したステップ１０のパルスゼロの判定を略したものである。
【００５４】
図６のフローチャートでは、説明を簡単にするために、先の実施形態と同様の動作を行うステップに同一の番号を付している。
第五の実施形態では、制御装置１に電源を投入すると、ステップ１で、１分間の入力パルスが１００を中心とする一定の範囲であるか否かが判断され、これがＹＥＳであれば、ステップ２に移行して５０ＨZ の記録メモリーがＯＮされる。
【００５５】
またステップ１がＮＯであれば、ステップ３に移行し、パルスが１２０であるか否かが判断され、これがＹＥＳであればステップ４に移行して６０ＨZ の記録メモリーがＯＮされる。
そしてステップ３でもＮＯであった場合、すなわちパルスが１００でも１２０でもない場合は、ステップ７判定不良のメモリーをＯＮする。
【００５６】
なお、本実施形態では、ステップ１，３が請求項の異常検出手段として機能している。
各ステップ２，４，７の後は、ステップ８に進み、リモコン４が操作できる状態となる。
【００５７】
そしてステップ８からステップ９に移行し、ステップ９で先の判定不良のメモリーがＯＮであるか否かを確認する。ステップ９で先の判定不良のメモリーがＯＮであるならば、基礎となる周波数の特定ができていないのであるから、ステップ１５に進み、ＡＣモータの運転や、燃焼運転を停止する信号を発し、ステップ１２へ移行する。またステップ９で先の判定不良のメモリーがＯＦＦであるならば、ステップ９から直接的にステップ１２に移行する。
ステップ１２は先の実施形態と同一であり、判定要求の有無を判断し、判定要求があった場合には、ステップ１３に移行して表示装置１０にメモリーの内容を表示する。すなわちコントロールリモコン４を操作して、判定表示要求を行った場合には、表示装置１０に「５０ＨZ 」「６０ＨZ 」「判定不良」といった文字、あるいは「Ｅ１」といったコードが表示される。
そして最後にステップ１４の基礎制御に移行し、さらにステップ９に戻る。ステップ１４では、ステップ１５を経由した場合には基礎制御だけが行われ、それ以外の場合には基礎制御と位相制御等が行われる。
【００５８】
【発明の効果】
本発明の給湯器または風呂の制御装置は、ファンが回転しないという故障が起きたとき、その原因追求が容易であり、修理や点検が容易であるという効果がある。
特に請求項１記載の発明ではパルス信号が特定の商用周波数に対応するものであるか否かの判定に加え、パルスゼロといった他の特定のものであるかについても判定可能である。そのためこの判定に基づいて、故障の原因が安全装置にあるのか、他の部位にあるのかを区別することができる効果がある。
また、パルス信号が特定の商用周波数に対応するものでも、他の特定のものでもないことを判定することにより、故障の原因をより明確に知ることができる効果がある。
【００５９】
請求項２，４，５記載の発明では、故障原因等を表示することができ、故障原因の解明がより簡単である効果がある。
【００６０】
請求項３記載の給湯器または風呂の制御装置は、故障を復帰した後の装置の立ち上がりを円滑に行うことができる効果がある。
【図面の簡単な説明】
【図１】  本発明の給湯器または風呂の制御装置のブロック図である。
【図２】  本発明の第一の実施形態の制御を示すフローチャートである。
【図３】  本発明の第二の実施形態の制御を示すフローチャートである。
【図４】  本発明の第三の実施形態の制御を示すフローチャートである。
【図５】  本発明の第四の実施形態の制御を示すフローチャートである。
【図６】  本発明の第五の実施形態の制御を示すフローチャートである。
【図７】  従来技術の給湯器または風呂の制御装置の制御を示すフローチャートである。
【符号の説明】
１  制御装置
２  マイクロコンピュータ
３  パルス発生装置
４  コントロールリモコン
５  位相制御装置
７  ＡＣモータ
８  電源
【図１】
0003642443.tif 000002
【図２】
0003642443.tif 000003
【図３】
0003642443.tif 000004
【図４】
0003642443.tif 000005
【図５】
0003642443.tif 000006
【図６】
0003642443.tif 000007
【図７】
0003642443.tif 000008